(57)【要約】【課題】蓋開け時に容器本体から蓋体を比較的容易に分離できるため利便性に優れる一方で、容器製造過程で分離加工部が不用意に切れないため歩留まりが高い食品容器を提供すること。【解決手段】本発明の食品容器１は、容器本体２と蓋体３とヒンジ部６とを有する発泡樹脂製の一体成形品からなる。容器本体２は開口５にフランジ部７を有する。蓋体３は開口５を塞ぐ。ヒンジ部６はフランジ部７の一辺８ａに対して蓋体３を連結する。食品容器１におけるヒンジ部６またはヒンジ部近傍位置には、容器本体２と蓋体３とを分離するための分離加工部１１が形成される。分離加工部１１は溝部１２とミシン目１３とにより構成される。溝部１２は容器外面側Ｓ１にて連続的に形成されている。ミシン目１３は、容器内面側Ｓ１にて断続的に形成され内部で溝部１２に連通する複数の貫通孔１４からなる。【選択図】図３
2010241487.tif 000002
【特許請求の範囲】
【請求項１】
開口にフランジ部を有する容器本体と、前記開口を塞ぐための蓋体と、前記フランジ部の一辺に対して前記蓋体を連結するヒンジ部とを有する発泡樹脂製の一体成形品からなり、前記容器本体と前記蓋体とを分離するための分離加工部が形成されている食品容器において、
前記分離加工部は、前記ヒンジ部またはヒンジ部近傍位置に形成されるとともに、容器外面側にて連続的に形成された溝部と、容器内面側にて断続的に形成され内部で前記溝部に連通する複数の貫通孔からなるミシン目とにより構成されていることを特徴とする食品容器。
【請求項２】
前記溝部の深さが０．１ｍｍ以上であり、前記溝部を形成せずに残す部分の厚さが０．４ｍｍ以上であることを特徴とする請求項１に記載の食品容器。
【請求項３】
前記ミシン目における前記複数の貫通孔の間隔が、１ｍｍ以上１０ｍｍ以下であることを特徴とする請求項１または２に記載の食品容器。
【請求項４】
前記蓋体は４辺を有する平面視矩形状であって、前記蓋体におけるヒンジ部配置側の辺以外の３辺のうち少なくとも２辺の一部が、前記容器本体の前記フランジ部に対して溶着されていることを特徴とする請求項１乃至３のいずれか１項に記載の食品容器。
【請求項５】
前記分離加工部は、前記蓋体におけるヒンジ部配置側の辺に形成されていることを特徴とする請求項１乃至４のいずれか１項に記載の食品容器。
【請求項６】
前記食品容器は納豆容器であることを特徴とする請求項１乃至５のいずれか１項に記載の食品容器。
【請求項７】
開口にフランジ部を有する容器本体と、前記開口を塞ぐための蓋体と、前記フランジ部の一辺に対して前記蓋体を連結するヒンジ部とを有する発泡樹脂製の一体成形品からなる食品容器に食品を収納する収納工程と、
前記収納工程の後、前記蓋体を閉じて前記容器本体の前記開口を塞ぐようにする蓋閉じ工程と、
前記蓋閉じ工程の後、容器外面側にて連続的に形成された溝部と、容器内面側にて断続的に形成され内部で前記溝部に連通する複数の貫通孔からなるミシン目とにより構成される分離加工部を、前記ヒンジ部またはヒンジ部近傍位置に形成する分離加工部形成工程と
を含むことを特徴とする容器入り食品の製造方法。
【請求項８】
前記分離加工部形成工程では、前記溝部の深さが０．１ｍｍ以上、前記溝部を形成せずに残す部分の厚さが０．４ｍｍ以上となるように前記分離加工部を形成することを特徴とする請求項７に記載の容器入り食品の製造方法。
【請求項９】
前記分離加工部形成工程では、前記ミシン目における前記複数の貫通孔の間隔が、１ｍｍ以上１０ｍｍ以下となるように前記分離加工部を形成することを特徴とする請求項７または８に記載の容器入り食品の製造方法。
【請求項１０】
前記分離加工部形成工程では、前記食品容器の形成材料である発泡樹脂材料を熱変性させずに機械加工することで前記分離加工部を形成することを特徴とする請求項７乃至９のいずれか１項に記載の容器入り食品の製造方法。
【請求項１１】
前記分離加工部形成工程では、外周部の全周にわたって連設された複数の歯を有しかつ前記歯の縁部全体が刃になっている回転刃を用いて切削加工することで、前記溝部及び前記ミシン目を同時形成することを特徴とする請求項１０に記載の容器入り食品の製造方法。
【請求項１２】
前記蓋体は４辺を有する平面視矩形状であって、
前記蓋閉じ工程の後かつ前記分離加工部形成工程の前に、前記蓋体におけるヒンジ部配置側の辺以外の３辺のうち少なくとも２辺の一部が、前記容器本体の前記フランジ部に対して溶着する溶着工程を行う
ことを特徴とする請求項７乃至１１のいずれか１項に記載の容器入り食品の製造方法。
【請求項１３】
前記分離加工部は、前記蓋体におけるヒンジ部配置側の辺に形成されていることを特徴とする請求項７乃至１２のいずれか１項に記載の容器入り食品の製造方法。
【請求項１４】
前記食品容器は納豆容器であり、前記食品は納豆であることを特徴とする請求項７乃至１３のいずれか１項に記載の容器入り食品の製造方法。
【請求項１５】
請求項１乃至６のいずれか１項に記載の食品容器を製造するための装置であって、外周部の全周にわたって連設された複数の歯を有しかつ前記歯の縁部全体が刃になっている回転刃を備えたことを特徴とする食品容器製造装置。
【発明の詳細な説明】
【技術分野】
【０００１】
本発明は、容器本体と蓋体とヒンジ部とを有する食品容器、容器入り食品の製造方法、食品容器製造装置に関するものである。
【背景技術】
【０００２】
従来、食品を収納するための容器としては、紙製食品容器や発泡樹脂製食品容器などが知られているが、そのなかでも発泡樹脂製食品容器は、軽く、形状の自由度が高く、安価である等のメリットがあるため、広く用いられている。このような発泡樹脂製食品容器は、例えば、凹状の断面形状を有するとともに開口にフランジ部を有する容器本体、容器本体の開口を塞ぐための蓋体などを備えている。蓋体はフランジ部の一辺に対してヒンジ部を介して連結されている。そして、容器本体内に例えば納豆などの食品を収納し、この状態で蓋体を回動させて容器本体に重ね合わせることにより、食品容器が蓋閉めされるとともに蓋体がフランジ部に溶着されるようになっている。
【０００３】
ところで、喫食時において食品容器から納豆などの食品を取り出す際には、溶着部を剥がして蓋を開けることになるが、蓋体を残したままの状態であると食品の攪拌作業を行う場合に蓋体が邪魔になることがある。また、この状態であると、食品容器をテーブルに置いたときに容器本体が傾いて不安定になりやすい。そこで、食品容器の所定箇所に容器本体と蓋体とを容易に分離するたに、例えばミシン目などの分離加工部をあらかじめ形成しておくことが従来行われている（例えば、特許文献１、２参照）。このようなミシン目は、例えば先端が刃１０３になっている複数の歯１０２を持つ回転刃１０１を用いて食品容器を切削加工することにより形成可能である（図１０参照）。
【先行技術文献】
【特許文献】
【０００４】
【特許文献１】特開平９−１３６３５３号公報
【特許文献２】特許第３７２０１６５号公報
【発明の概要】
【発明が解決しようとする課題】
【０００５】
ところが、従来技術の発泡樹脂製食品容器の場合、分離加工部であるミシン目に適度な機械的強度を付与することが難しく、そのためには非常に狭い好適範囲内にて切削加工の条件設定をする必要があり、製造が煩雑であった。従って、ミシン目の部分の機械的強度が弱くなりすぎることもあり、この場合には、容器製造過程でミシン目が不用意に切れやすくなって不良品が発生しやすくなり、それに起因して高い歩留まりが達成しにくくなるという問題があった。これとは逆に、ミシン目の部分の強度が強くなりすぎた場合には、容器本体から蓋体を分離するのに大きな力が必要になるため、蓋体が分離しにくくなる。よって、無理矢理分離しようとすると、食品容器が不規則に割れることで綺麗に分離できなくなるばかりでなく、容器本体から食品がこぼれたり、容器の破片が食品上に乗ってしまったりする等の問題があった。なお、容器本体と蓋体とを超音波溶着にて強固に固定してあるような場合には、とりわけ蓋開け時においてこのような問題が顕著になると予想されるため、容易に蓋開けできる食品容器の開発が望まれていた。
【０００６】
本発明は上記の課題に鑑みてなされたものであり、その目的は、蓋開け時に容器本体から蓋体を比較的容易に分離できるため利便性に優れる一方で、容器製造過程で分離加工部が不用意に切れないため歩留まりが高い食品容器を提供することにある。本発明の別の目的は、利便性に優れた上記の食品容器を高歩留まりで製造しつつ食品を効率よく製造することができる容器入り食品の製造方法を提供することにある。本発明のさらに別の目的は、上記の優れた食品容器を製造するのに好適な食品容器製造装置を提供することにある。
【課題を解決するための手段】
【０００７】
そこで、上記課題を解決すべく本願発明者が鋭意研究を行ったところ、容器本体と蓋体とを分離するための分離加工部に注目し、その改良を試みた。そして試行錯誤の末、単なるミシン目からなる分離加工部を形成するのではなく、溝部とミシン目とにより構成された分離加工部を形成することで好結果が得られることを新規に知見し、さらにこの知見を発展させて下記の課題解決手段［１］〜［１５］を想到するに至ったのである。ここにそれらを列挙する。
【０００８】
［１］開口にフランジ部を有する容器本体と、前記開口を塞ぐための蓋体と、前記フランジ部の一辺に対して前記蓋体を連結するヒンジ部とを有する発泡樹脂製の一体成形品からなり、前記容器本体と前記蓋体とを分離するための分離加工部が形成されている食品容器において、前記分離加工部は、前記ヒンジ部またはヒンジ部近傍位置に形成されるとともに、容器外面側にて連続的に形成された溝部と、容器内面側にて断続的に形成され内部で前記溝部に連通する複数の貫通孔からなるミシン目とにより構成されていることを特徴とする食品容器。
【０００９】
［２］前記溝部の深さが０．１ｍｍ以上であり、前記溝部を形成せずに残す部分の厚さが０．４ｍｍ以上であることを特徴とする手段１に記載の食品容器。
【００１０】
［３］前記ミシン目における前記複数の貫通孔の間隔が、１ｍｍ以上１０ｍｍ以下であることを特徴とする手段１または２に記載の食品容器。
【００１１】
［４］前記蓋体は４辺を有する平面視矩形状であって、前記蓋体におけるヒンジ部配置側の辺以外の３辺のうち少なくとも２辺の一部が、前記容器本体の前記フランジ部に対して溶着されていることを特徴とする手段１乃至３のいずれか１項に記載の食品容器。
【００１２】
［５］前記分離加工部は、前記蓋体におけるヒンジ部配置側の辺に形成されていることを特徴とする手段１乃至４のいずれか１項に記載の食品容器。
【００１３】
［６］前記食品容器は納豆容器であることを特徴とする手段１乃至５のいずれか１項に記載の食品容器。
【００１４】
［７］開口にフランジ部を有する容器本体と、前記開口を塞ぐための蓋体と、前記フランジ部の一辺に対して前記蓋体を連結するヒンジ部とを有する発泡樹脂製の一体成形品からなる食品容器に食品を収納する収納工程と、前記収納工程の後、前記蓋体を閉じて前記容器本体の前記開口を塞ぐようにする蓋閉じ工程と、前記蓋閉じ工程の後、容器外面側にて連続的に形成された溝部と、容器内面側にて断続的に形成され内部で前記溝部に連通する複数の貫通孔からなるミシン目とにより構成される分離加工部を、前記ヒンジ部またはヒンジ部近傍位置に形成する分離加工部形成工程とを含むことを特徴とする容器入り食品の製造方法。
【００１５】
［８］前記分離加工部形成工程では、前記溝部の深さが０．１ｍｍ以上、前記溝部を形成せずに残す部分の厚さが０．４ｍｍ以上となるように前記分離加工部を形成することを特徴とする手段７に記載の容器入り食品の製造方法。
【００１６】
［９］前記分離加工部形成工程では、前記ミシン目における前記複数の貫通孔の間隔が、１ｍｍ以上１０ｍｍ以下となるように前記分離加工部を形成することを特徴とする手段７または８に記載の容器入り食品の製造方法。
【００１７】
［１０］前記分離加工部形成工程では、前記食品容器の形成材料である発泡樹脂材料を熱変性させずに機械加工することで前記分離加工部を形成することを特徴とする手段７乃至９のいずれか１項に記載の容器入り食品の製造方法。
【００１８】
［１１］前記分離加工部形成工程では、外周部の全周にわたって連設された複数の歯を有しかつ前記歯の縁部全体が刃になっている回転刃を用いて切削加工することで、前記溝部及び前記ミシン目を同時形成することを特徴とする手段１０に記載の容器入り食品の製造方法。
【００１９】
［１２］前記蓋体は４辺を有する平面視矩形状であって、前記蓋閉じ工程の後かつ前記分離加工部形成工程の前に、前記蓋体におけるヒンジ部配置側の辺以外の３辺のうち少なくとも２辺の一部が、前記容器本体の前記フランジ部に対して溶着する溶着工程を行うことを特徴とする手段７乃至１１のいずれか１項に記載の容器入り食品の製造方法。
【００２０】
［１３］前記分離加工部を、前記蓋体におけるヒンジ部配置側の辺に形成することを特徴とする手段７乃至１２のいずれか１項に記載の食品容器。
【００２１】
［１４］前記食品容器は納豆容器であり、前記食品は納豆であることを特徴とする手段７乃至１３のいずれか１項に記載の容器入り食品の製造方法。
【００２２】
［１５］手段１乃至６のいずれか１項に記載の食品容器を製造するための装置であって、外周部の全周にわたって連設された複数の歯を有しかつ前記歯の縁部全体が刃になっている回転刃を備えたことを特徴とする食品容器製造装置。
【発明の効果】
【００２３】
従って、請求項１〜６に記載の発明によれば、蓋開け時に容器本体から蓋体を比較的容易に分離できるため利便性に優れる一方で、容器製造過程で分離加工部が不用意に切れないため歩留まりが高い食品容器を提供することができる。請求項７〜１４に記載の発明によれば、利便性に優れた上記の食品容器を高歩留まりで製造しつつ食品を効率よく製造することができる容器入り食品の製造方法を提供することができる。請求項１５に記載の発明によれば、上記の優れた食品容器を製造するのに好適な食品容器製造装置を提供することができる。
【図面の簡単な説明】
【００２４】
【図１】本実施形態の蓋閉めした状態の食品容器を示す正面図。
【図２】蓋閉めした状態の上記食品容器を示す平面図。
【図３】蓋開け状態の上記食品容器において、（ａ）は容器外面側を示す図、（ｂ）は容器内面側を示す図。
【図４】図１の食品容器のＡ−Ａ線における拡大断面図。
【図５】（ａ）は図４のＢ−Ｂ線における断面図、（ｂ）は図４のＣ−Ｃ線における断面図。
【図６】（ａ）〜（ｅ）は本実施形態の容器入り食品の製造方法を手順に沿って説明するための概略図。
【図７】本実施形態の食品容器製造装置を説明するための概略図。
【図８】上記装置が備える回転刃を示す部分拡大図。
【図９】実施例の試験方法を説明するための図。
【図１０】従来技術の食品容器の加工に用いる回転刃を示す概略図。
【発明を実施するための形態】
【００２５】
以下、本発明を具体化した一実施の形態を図１〜図９に基づき詳細に説明する。なお、本実施形態では、本発明の食品容器を納豆容器に具体化するとともに、本発明の容器入り食品の製造方法を容器入り納豆の製造方法に具体化した例を示す。
【００２６】
まず納豆容器１について説明する。図１，図２は食品である納豆２を収納して蓋閉めした状態の納豆容器１を示し、本実施形態ではこの状態のものを容器入り納豆（容器入り食品）と定義する。なお、図３（ａ），（ｂ）は、説明の便宜のため、容器入り納豆における納豆容器１を展開し、かつ納豆２を省略した状態で示している。詳細には、図３（ａ）は蓋開け状態の納豆容器１における容器外面側Ｓ１を示すものであり、図３（ｂ）は蓋開け状態の納豆容器１における容器内面側Ｓ２を示すものである。
【００２７】
本実施形態の納豆容器１は、容器本体２と蓋体３とヒンジ部６とを有する発泡樹脂製であって、金型を用いて作製された一体成形品である。発泡樹脂としては例えば発泡ポリスチレン等が選択される。本実施形態の容器本体２は４辺を有する平面視正方形状を呈しており、上部に正方形状の開口５を有している。また、この容器本体２は全体として凹状の断面形状を有しており、その凹状の部分が納豆２１を収納するための収納部４となっている。容器本体２の開口５には、外側に向って水平に延びるフランジ部７が一体形成されている。本実施形態の蓋体３は開口５を覆って塞ぐための部位であって、容器本体２と同じく４辺を有する平面視正方形状を呈し、容器本体２とほぼ等しい外形寸法を有している。容器本体３の有するフランジ部７の１辺に対しては、蓋体３を開閉可能とするためのヒンジ部６を介して蓋体３の１辺（即ちヒンジ部配置側の辺８ａ）が連結されている。ヒンジ部６は、変形が起こりやすいように容器本体２及び蓋体３の部分よりも材料の肉厚が薄くなるように形成されている。例えば、本実施形態においては、容器本体２及び蓋体３の部分の肉厚が１．９ｍｍに設定され、ヒンジ部６の肉厚が０．７ｍｍ〜１．３ｍｍ程度に設定されている。
【００２８】
図２に示されるように、蓋体３は、当該ヒンジ部配置側の辺８ａのほかに３つの辺８ｂ，８ｃ，８ｄを備えている。ヒンジ部配置側の辺８ａを基準とすると、自由端側に位置する（言い換えると反対側に位置する）辺８ｂは辺８ａと平行な位置関係にあり、他の２つの辺８ｃ，８ｄはそれらと直交する位置関係にある。
【００２９】
本実施形態の納豆入り容器では、蓋体３におけるヒンジ部配置側の辺８ａ以外の３辺８ｂ，８ｃ，８ｄのうち少なくとも２辺の一部が、容器本体２のフランジ部７に対して溶着されている。より具体的に言うと、蓋体３における１辺８ｂが２箇所の溶着部１６でフランジ部７に対して熱溶着されるとともに、蓋体３における別の２辺８ｃ，８ｄがそれぞれ１箇所の溶着部１６でフランジ部７に対して超音波溶着されている（図２参照）。よって、本実施形態の納豆入り容器では、蓋体３が容器本体２に対して比較的強固に固定されている。
【００３０】
本実施形態の納豆容器１においては、蓋体３におけるヒンジ部配置側の辺８ａに、容器本体２と蓋体３とを分離するための分離加工部１１が形成されている。この離加工部１１は、蓋体３におけるヒンジ部近傍位置（具体的にはヒンジ部６から１ｍｍ〜５ｍｍ程度離れた箇所）において、ヒンジ部６の延びる方向に沿って直線的に形成されている（図２〜図５を参照）。この分離加工部１１は、容器外面側Ｓ１にて連続的に形成された１条の溝部１２と、容器内面側Ｓ２にて断続的に形成され内部で溝部１２に連通する複数のスリット状の貫通孔１４からなるミシン目１３とにより構成されている。つまり、本実施形態の分離加工部１１は、単なるミシン目のみからなる分離加工部とは構造的に異なるものとなっている。
【００３１】
図４，図５に示されるように、溝部１２の深さＤ１及び溝部１２を形成せずに残す部分１５の厚さＤ２は特に限定されないが、強いて言えば溝部１２の深さＤ１が０．１ｍｍ以上、残す部分１５の厚さＤ２が０．４ｍｍ以上であることが好ましい。深さＤ１が０．１ｍｍ未満であると、溝部１２が浅くなりすぎる結果、従来におけるミシン目のみを有する納豆容器と性能が何ら変わらないものとなる。つまり、加工条件の好適範囲が非常に狭くなることで、例えばミシン目の箇所の機械的強度が強くなりすぎてしまい、この場合には容器本体２から蓋体３を分離するのに大きな力が必要になり、蓋体３が分離しにくくなってしまう。厚さＤ２が０．４ｍｍ未満であると、蓋体３とヒンジ部６とを連結する箇所の面積が少なくなり、その箇所の機械的強度が弱くなりすぎてしまう結果、分離加工部１１の加工段階で切れてしまう可能性が高くなる。よって、この場合には高い歩留まりを達成しにくくなるおそれがある。
【００３２】
ミシン目１３における複数の貫通孔１４の間隔Ｌ１は特に限定されないが、強いて言えば１ｍｍ以上１０ｍｍ以下であることが好ましい。間隔Ｌ１が１０ｍｍ超であると、分離加工部１１の箇所の機械的強度が強くなりすぎてしまい、容器本体２から蓋体３を分離するのに大きな力が必要になり、蓋体３が分離しにくくなってしまう。間隔Ｌ１が１ｍｍ未満であると、分離加工部１１の箇所の機械的強度が弱くなりすぎてしまう結果、分離加工部１１の加工段階で切れてしまう可能性が高くなる。よって、この場合には高い歩留まりを達成しにくくなるおそれがある。
【００３３】
ちなみに、ミシン目１３における複数の貫通孔１４の長手方向の寸法（即ち溝部１２に平行な方向の寸法）は特に限定されず、例えば１ｍｍ以上２０ｍｍ以下に設定される。また、複数の貫通孔１４の幅（即ち短手方向の寸法）は特に限定されず任意であるが、例えば１ｍｍ以下（好ましくは０．１ｍｍ以上０．８ｍｍ以下）に設定される。この場合、複数の貫通孔１４は溝部１２の幅とほぼ等しい寸法に設定しておけば、例えば共通の工具を用いて両者を加工形成できる等、製造工程上都合がよいものとなる。
【００３４】
次に、図６に基づいて、本実施形態における容器入り納豆を製造する方法について説明する。
【００３５】
容器入り納豆の製造方法にあたっては、まず、分離加工部１１を形成する前の納豆容器１を用意するとともに（図６（ａ）参照）、蓋体３を開いて全体を水平にした状態で水平方向に搬送し、その搬送途中の所定位置にて収納部４に納豆２１を収納する（収納工程：図６（ｂ）参照）。この段階の納豆２１は、菌の植え付けがなされているものの、まだ発酵が進んでいない。
【００３６】
次に、収納工程を経た納豆容器１の蓋体３を約１８０度回動させて蓋体３を容器本体２の開口５を覆う位置まで移動させることにより、納豆容器１を閉じるようにする（蓋閉じ工程：図６（ｃ）参照）。なお、この段階では納豆容器１はまだ完全に閉じられていない。このような蓋閉じ工程は、納豆容器１を水平方向に搬送する最中に行うこと、言い換えると搬送中の納豆容器１を停止させることなく連続的に（例えばガイドレール等を用いて）行うことが、生産効率向上の観点から好ましい。
【００３７】
次に、蓋閉じ状態の納豆容器１に対する溶着を行って、蓋体３におけるヒンジ部配置側の辺８ａ以外の３辺８ｂ，８ｃ，８ｄの一部をそれぞれ容器本体２のフランジ部７に対して固定する（溶着工程：図６（ｄ）参照）。具体的にいうと、まず、蓋体３における１辺８ｂを２箇所の溶着部１６でフランジ部７に対して熱溶着する。続いて、蓋体３における別の２辺８ｃ，８ｄをそれぞれ１箇所の溶着部１６でフランジ部７に対して超音波溶着する。
【００３８】
次に、下記の装置３１を用いて分離加工部形成工程を行うことにより、蓋閉じ状態の納豆容器１に分離加工部１１を形成する（図６（ｅ）参照）。図７は本実施形態の納豆容器加工装置３１（食品容器製造装置）を説明するための概略図であり、図８は上記装置３１が備える回転刃３２を示す部分拡大図である。
【００３９】
この納豆容器加工装置３１は、装置本体３５、容器搬送手段、容器上部押さえ手段、これら手段を同期して駆動するモータ（図示略）、これら手段とモータとを駆動連結する伝達構造（図示略）、モータの駆動を制御する制御装置（図示略）等を備えている。
【００４０】
容器搬送手段は、蓋閉じ状態の納豆容器１を水平方向に搬送するためのものであって、装置本体３５上に配置されている。この容器搬送手段は、例えば一対のロール間に無端状の下部搬送ベルト３６を周回可能に巻き付けることで構成されている。下部搬送ベルト３６において上側となる面には、蓋閉じ状態の納豆容器１における容器本体２の底面が載置される。なお、図７において下部搬送ベルト３６に付した横向き矢印は、下部搬送ベルト３６の移動方向を意味している。また、下部搬送ベルト３６は、容器本体２の底面ではなくフランジ部７の下面に対して接触するように構成されてもよい。この場合には、下部搬送ベルト３６と後述する押さえベルト３７とによってフランジ部７を上下方向から挟んだ状態で、納豆容器１を搬送することが可能となり、加工部が安定する。
【００４１】
容器上部押さえ手段は、容器搬送手段の上方に配置されている。例えば一対のロール間に無端状の押さえベルト３７を周回可能に巻き付けることで構成されている。この押さえベルト３７において下側となる面は、蓋閉じ状態の納豆容器１における蓋体３が接触するようになっている。そして、この押さえベルト３７は、蓋体３を上方向から押さえつつ、納豆容器１を容器搬送手段と同期して水平方向に搬送するようになっている。よって、下部搬送ベルト３６と押さえベルト３７との間に納豆容器１が挟み込まれた状態となるため、納豆容器１の位置ずれを防止しつつ比較的速い速度で納豆容器１を確実に搬送することができるようになっている。なお、図７において押さえベルト３７に付した横向き矢印は、押さえベルト３７の移動方向を意味している。
【００４２】
本実施形態の納豆容器加工装置３１は、さらに回転刃３２を有する切断加工手段を備えている。この回転刃３２は、支軸３８に取り付けられるとともに、下部搬送ベルト３６の上方において押さえベルト３７を避ける位置において、搬送方向に沿って平行な状態で配置されている。支軸３８は回転刃３２を回転可能に支持するものの駆動手段に連結されているわけではなく、それゆえ回転刃３２は納豆容器１の搬送に伴って追従回転するようになっている。また、回転刃３２の最下部は、水平方向に搬送されてくる納豆容器１の容器外側面Ｓ１（即ち蓋体３の上面）に接触する高さ位置となるように設定されている。
【００４３】
図７，図８に示されるように、この回転刃３２は、厚さ１ｍｍの円盤状をなすとともに、外周部の全周にわたって等ピッチで連設された複数（本実施形態では３０枚）の歯３３を有している。各々の歯３３の縁部全体が刃３４（即ち板厚が徐々に薄くなるエッジ部）になっている。つまり、略台形状をなす本実施形態の歯３３においては、刃３４の先端縁のみならず両側縁についてもエッジ部となっている。
【００４４】
そして、このような回転刃３２がある箇所を納豆容器１が通過すると、その際に蓋体３の上面におけるヒンジ部近傍位置に回転刃３２が接触し、その接触した部分が直線状に切削される。その結果、分離加工部１１を構成する溝部１２及びミシン目１３が同時形成されるようになっている。なお、この回転刃３２の場合、蓋体３内に深く入り込んで発泡樹脂材料を貫通する歯３３の先端縁によって複数の貫通孔１４が形成され、容器内面側にてミシン目１３となる。一方、歯３３の間におけるＶ字状の切れ込みのある箇所については、歯３３の先端縁が発泡樹脂材料を貫通しないため、発泡樹脂材料における対応部分が貫通孔１４の非形成部位（即ち残す部分１５）となる。また、発泡樹脂材料における浅い部分については、刃３４となっている歯３３の縁部全体が作用することから、全体にわたって切削されることになり、所望の溝部１２が容器外面側Ｓ１にて連続的にかつ好適な形状で加工形成される。このように、回転刃３２による切削加工を行う本実施形態の場合、納豆容器１の形成材料である発泡樹脂材料を熱変性させずに分離加工部１１を形成することができる。
【００４５】
以上のような分離加工部形成工程を経た容器入り納豆は、発酵を進行させるための所定の保存期間を経て最終製品となり、出荷されるようになっている。このように製造された容器入り納豆は、通常どおり自由端側の辺８ｂから蓋開けしてもよいが、その反対側にあるヒンジ部配置側の辺８ａから蓋開けしてもよい。即ち、蓋体３における辺８ｃ，８ｄのうちの少なくとも一方においてヒンジ部配置側の辺８ａに近接した位置に指先を入り込ませ、ヒンジ部配置側の辺８ａを引き剥がすような上向きの力を作用させて、分離加工部１１に破断を生じさせ、蓋体３におけるヒンジ部配置側の辺８ａを容器本体２から分離する。さらに、溶着されている部分を引き剥がして、蓋体３を容器本体２から完全に分離する。
【００４６】
この場合、蓋体３における辺８ｃ，８ｄのうちの少なくとも一方において、ヒンジ部配置側の辺８ａに近接した位置に、ノッチを形成しておくと、そこに指先を入り込ませることができ、ヒンジ部配置側の辺８ａを引き剥がす作業を容易に行うことができる。ノッチの形状は特に限定されず、例えばＶ字状、Ｕ字状、Ｉ字状、円弧状等にすることができる。なお、ノッチを形成することによって、蓋開けのための引き剥がし作業を開始すべき部位を明確化することができる。また、蓋開位置を示す目印を蓋体３の上面に形成しておいてもよい。
【００４７】
以下、本発明をより具体化した実施例を示すが、本発明は勿論これに限定されるわけではない。
【実施例】
【００４８】
本実施例では、溝部１２の深さＤ１、溝部１２を形成せずに残す部分１５の厚さＤ２、ミシン目１３における貫通孔の間隔Ｌ１を変更して切削加工を行い、蓋体３におけるヒンジ部配置側の辺８ａに分離加工部１１を有する複数種類のサンプル品を実際に作製した。なお、切削加工する部分の発泡樹脂材料の板厚はいずれも１．９ｍｍとし、複数の貫通孔１４の長手方向の寸法はいずれも約３ｍｍとし、複数の貫通孔１４の幅及び溝部１２の幅はいずれも約０．８ｍｍとした。
【００４９】
そして、得られた各サンプル品について、図９に示すように引張強度測定器４１（ＳＨＩＭＰＯ社製、「ＦＧＮ−２  デジタルフォースゲージ」）を用いて評価試験を行った。
【００５０】
まず、蓋体３の中心部から偏心した位置に矩形状の穴４２を開けておき、その穴４２に引張強度測定器４１から突出するフック部４３を引っ掛けるようにして配置した。この状態で、容器本体２を図９の左方向に手で引っ張るとともに、引張強度測定器４１を図９の右方向に手で引っ張った。そして、蓋体３が完全に切り取られて分離するまでに要した力のピーク値を測定し、この値を「蓋体３の分離に必要な力」とした。なお、各試験区においてはサンプル品を５つ用意し、それらの測定ピーク値の平均値を用いた。ここで用いた引張強度測定器４１は測定限界が２．０ｋｇであるため、かかる測定限界を超えたものや、分離加工部１１の位置で切れずに明らかに別の箇所で破損したものについては、「測定不能」とした。以下、表１にその結果を示す。表中、「○」は切れ味良好、「△」は切れにくい、「×」は切れない、ということを意味している。
【表１】
2010241487.tif 000003
【００５１】
表1から明らかなように、ミシン目１３があるにもかかわらず溝部１２がない試験区については、評価が「○」になる部分が皆無であり、唯一、貫通孔１３の間隔Ｌ１が１ｍｍのあたりで評価が「△」となるにすぎず、それ以外では評価が「×」となった。つまり、従来技術に相当するこれらの試験区では、分離加工部であるミシン目１３に適度な機械的強度を付与することが難しく、そのためには非常に狭い好適範囲内にて切削加工の条件設定をする必要があり、製造が煩雑になるという欠点があることが明白であった。
【００５２】
一方、ミシン目１３のみならず溝部１２も形成した試験区においては、表１に示すように概して好適な結果が得られた。特に、溝部１２の深さＤ１を０．１ｍｍ〜１．３ｍｍとし、残す部分１５の厚さＤ２を０．６ｍｍ〜１．８ｍｍとし、貫通孔１３の間隔Ｌ１の値を１ｍｍ〜５ｍｍとした場合、加工段階で切れてしまうことがなく、また、蓋開け時に割れてしまうこともないため、この範囲が非常に好適な条件であると結論付けられた。かかる好適範囲の広さは、ミシン目１３があるにもかかわらず溝部１２がない上記の試験区に比べるとかなり広いものとなっている。ちなみに、溝部１２の深さＤ１を１．５ｍｍとし、残す部分１５の厚さＤ２を０．４ｍｍとし、貫通孔１３の間隔Ｌ１の値を１ｍｍ以上とした場合については、後工程で不具合が生じるリスクが若干あるものの、これについても上記の場合に準じて好適であった。ただし、溝部１２の深さＤ１を１．８ｍｍとした場合や、残す部分１５の厚さＤ２を０．１ｍｍとした場合や、貫通孔１３の間隔Ｌ１の値を０．５ｍｍとした場合については、分離加工部１１の加工段階で切れてしまうものがあり、実際の製品として採用しにくいものであった。
【００５３】
従って、本実施の形態によれば以下の効果を得ることができる。
【００５４】
（１）本実施形態によると、容器外面側Ｓ１にて連続的に形成された溝部１２と、容器内面側Ｓ２にて断続的に形成され内部で溝部１２に連通する複数の貫通孔１４からなるミシン目１３とにより構成された分離加工部１１を有している。また、ここでは分離加工部１１が蓋体３におけるヒンジ部近傍位置に形成されている。このため、分離加工部１１に極めて好適な機械的強度、即ち、蓋開け時に容器本体２から蓋体３を比較的容易に分離できる一方で、容器製造過程で不用意に切れてしまわない程度の機械的強度を付与することが可能である。よって、蓋開け時の利便性に優れるとともに歩留まりが高い納豆容器１を提供することができる。
【００５５】
（２）本実施形態では、溝部１２の深さＤ１、残す部分１５の厚さＤ２及び貫通孔１３の間隔Ｌ１の値をそれぞれ上記の好適範囲内にて設定しているため、分離加工部１１に極めて好適な機械的強度を確実に付与することができる。また、このような好適範囲は従来例に比較してそれほど狭いものではないため、かかる好適な機械的強度を比較的容易に付与することができ、納豆容器１の製造が煩雑になるということもない。
【００５６】
（３）本実施形態では、蓋体３におけるヒンジ部配置側の辺８ａを除く他の３辺８ｂ，８ｃ，８ｄの一部がフランジ部７に対して溶着されているため、蓋体３が容器本体２に強固に固定され、収納した納豆２が漏れにくい構造となっている。その反面、ヒンジ部配置側の辺８ａに比べて自由端側の辺８ｂの固定強度が強いことから、自由端側を引き剥がして蓋開けを行うことが通常は困難である。しかし、ヒンジ部配置側の辺８ａに分離加工部１１を形成しておき、その分離加工部１１から引き剥がしを行うことで、蓋開けを容易に行うことができる。よって、収納物の漏れ防止という食品容器に要求される基本的性能を担保しつつ利便性を向上させることができる。
【００５７】
（４）本実施形態では、回転刃３２を用いた切削加工を行う分離加工部形成工程によって分離加工部１１を形成しているが、この方法によれば発泡樹脂材料の熱変性を伴わないという利点がある。また、発泡樹脂材料の熱変性を伴う加工方法を採用した場合には、ヒートツールやそのための温度制御手段や駆動制御手段などが必要になる。ゆえに、製造設備が大型になりかつ設備コストが高騰する可能性があるばかりでなく、ヒートツール等のメンテナンスが煩雑になる可能性があり、結果的に製品の高コスト化につながるおそれがある。これに対して、本実施形態のような納豆容器加工装置３１であれば、追従回転可能な回転刃３２を接触させるだけでよいので、比較的シンプルな設備構成とすることができる。このため、設備コストの低減を図ることができるとともに、それほど煩雑なメンテナンスを要求されることもなく、結果的に製品の低コスト化を図りやすくなる。
【００５８】
（５）本実施形態では、上記の納豆容器加工装置３１を用いた分離加工部形成工程を蓋閉じ工程前ではなく敢えて蓋閉じ工程後に行っていることから、納豆容器１を蓋閉じした状態で連続的かつ比較的早い速度で搬送しながら所望とする切削加工を行うことができる。このため、容器入り納豆の生産性を確実に向上させることができる。
【００５９】
なお、本発明の実施の形態は以下のように変更してもよい。
・上記実施形態では、本発明を容器本体２が１つの収納部を有するものに具体化したが、例えば容器本体２の内部に仕切り部を設けて複数の収納部を区画形成したものに具体化してもよい。その具体例を挙げると、例えば容器本体２に大小２つの収納部を設け、大きい収納部に納豆を収納し、小さい収納部に調味料を収納するようにすること等が挙げられる。
【００６０】
・上記実施形態では、本発明を容器入り納豆の製造方法として具体化したが、発泡樹脂製の容器に納豆以外の食品を入れたものの製造方法として具体化することもできる。
【００６１】
・上記実施形態では、溝部１２とミシン目１３とにより構成される分離加工部１１を蓋体３におけるヒンジ部近傍位置に形成したが、例えばこれを容器本体２におけるヒンジ部近傍位置に形成したり、あるいはヒンジ部６自体に形成したりすることも許容される。ここで、食品を収納した状態で分離加工部形成工程を行うことを考えると、食品容器を傾けたり上下反転させたりすることはあまり好ましくなく、そうすると水平配置状態のままで加工することが要求される。先に列挙した方法において、蓋体３におけるヒンジ部近傍位置に形成する場合には、回転刃３２を食品容器の上方にて垂直に配置して上方から切削を行うことになる。また、容器本体２におけるヒンジ部近傍位置に形成する場合には、回転刃３２を食品容器の下方にて垂直に配置して下方から切削を行うことになる。また、ヒンジ部６自体に形成する場合には、回転刃３２を食品容器の側方にて水平に配置して横方向から切削を行うことになる。これら３つの加工態様を比較すると、分離加工部１１を蓋体３におけるヒンジ部近傍位置に形成する方法（即ち上記実施形態の方法）が有利である。上記実施形態の方法によれば、切削加工により形成される分離加工部１１が食品容器１における上面に位置するため、加工部分の外観検査が行いやすく、工程管理が楽であるという利点があるからである。また、このような位置に回転刃３２を設置することは構造上無理がなく、例えば、下部搬送ベルト３６と押さえベルト３７とによってフランジ部７を上下方向から挟んだ状態で搬送するような構造も比較的容易に実現できるからである。また、装置の調整作業やメイテナンス作業も比較的容易に行うことができて好ましいからである。また、傾け動作や反転動作が不要になることから、生産性低下を回避できるとともに、設備コストの高騰も回避できる。また、ヒンジ部６に比べて材料の板厚が厚い蓋体３であれば、溝部１２とミシン目１３とにより構成される分離加工部１１を精度よく形成できるという利点もある。
【００６２】
・上記実施形態では、分離加工部１１を１条のみ設けたが、２条以上設けてもよい。
【００６３】
・上記実施形態では、容器本体２及び蓋体３をともに平面視正方形状としたが、これに限定されることはなく、例えば平面視長方形状、平面視三角形状、平面視六角形状、平面視円形状等にしてもよい。
【００６４】
・上記実施形態では、蓋体３における３辺８ｂ，８ｃ，８ｄの一部をフランジ部７に対して溶着したが、これに限定されない。例えば、蓋体３における２辺（８ｂと８ｃ、８ｂと８ｄ、あるいは８ｃと８ｄ）の一部をフランジ部７に対して溶着してもよく、また、蓋体３における１辺のみ（８ｂ、８ｃあるいは８ｂ）の一部をフランジ部７に対して溶着してもよい。この場合、熱溶着、超音波溶着のいずれの方法を用いてもよい。
【００６５】
・上記実施形態では、外周部の全周にわたって略台形状をなす歯３３を連設した回転刃３２を用いて分離加工部１１の形成のための切削加工を行ったが、縁部全体が刃３４になっているものであれば必ずしも略台形状でなくてもよく、例えば三角形状をなす歯（いわゆる鋸歯）を連設した回転刃を用いることもできる。また、回転刃３２による切削加工のみに限定されず、例えば複数の歯３４に相当する部分を有する金型を用いて切削加工を行うことも可能である。
次に、前述した実施の形態によって把握される技術的思想を以下に列挙する。
【００６６】
（１）手段１乃至６のいずれか１項において、前記分離加工部は、前記蓋体におけるヒンジ部配置側の辺から引き剥がして蓋開けを行うためのものであることを特徴とする食品容器。
【００６７】
（２）手段１乃至６のいずれか１項に記載の食品容器を製造するための装置であって、食品を収納して蓋閉じした状態の食品容器を載せて水平方向に搬送する容器搬送手段と、前記容器搬送手段の上方に位置し、前記食品容器の上面を抑える容器上部押さえ手段と、外周部の全周にわたって連設された複数の歯を有しかつ前記歯の縁部全体が刃になっている回転刃とを備え、前記回転刃は前記食品容器の上面に接触するよう配置されるとともに、前記食品容器の搬送に伴って追従回転して切削を行うことを特徴とする食品容器製造装置。
【符号の説明】
【００６８】
１…食品容器としての納豆容器
２…容器本体
３…蓋体
４…収納部
５…開口
６…ヒンジ部
７…フランジ部
８ａ…ヒンジ部配置側の辺
１１…分離加工部
１２…溝部
１３…ミシン目
１４…貫通孔
３１…食品容器製造装置としての納豆容器加工装置
３２…回転刃
３３…歯
３４…刃
Ｓ１…容器外面側
Ｓ２…容器内面側
Ｄ１…溝部の深さ
Ｄ２…残す部分の厚さ
Ｌ１…貫通孔の間隔
【図１】
2010241487.tif 000004
【図２】
2010241487.tif 000005
【図３】
2010241487.tif 000006
【図４】
2010241487.tif 000007
【図５】
2010241487.tif 000008
【図６】
2010241487.tif 000009
【図７】
2010241487.tif 000010
【図８】
2010241487.tif 000011
【図９】
2010241487.tif 000012
【図１０】
2010241487.tif 000013
【手続補正書】
【提出日】平成21年9月4日(2009.9.4)
【手続補正１】
【補正対象書類名】特許請求の範囲
【補正対象項目名】全文
【補正方法】変更
【補正の内容】
【特許請求の範囲】
【請求項１】
開口にフランジ部を有するとともに納豆を収納するための断面凹形状の収納部を有する容器本体と、前記開口を塞ぐための蓋体と、前記フランジ部の一辺に対して前記蓋体を連結するヒンジ部とを有する発泡樹脂製の一体成形品からなり、前記容器本体と前記蓋体とを分離するための分離加工部が形成されている納豆容器において、
前記分離加工部は、前記ヒンジ部またはヒンジ部近傍位置に１条のみ形成されるとともに、容器外面側にて連続的に形成された溝部と、容器内面側にて断続的に形成され内部で前記溝部に連通する複数の貫通孔からなるミシン目とにより構成されていることを特徴とする納豆容器。
【請求項２】
前記溝部の深さが０．１ｍｍ以上であり、前記溝部を形成せずに残す部分の厚さが０．４ｍｍ以上であることを特徴とする請求項１に記載の納豆容器。
【請求項３】
前記ミシン目における前記複数の貫通孔の間隔が、１ｍｍ以上１０ｍｍ以下であることを特徴とする請求項１または２に記載の納豆容器。
【請求項４】
前記蓋体は４辺を有する平面視矩形状であって、前記蓋体におけるヒンジ部配置側の辺以外の３辺のうち少なくとも２辺の一部が、前記容器本体の前記フランジ部に対して溶着されていることを特徴とする請求項１乃至３のいずれか１項に記載の納豆容器。
【請求項５】
前記分離加工部は、前記蓋体におけるヒンジ部配置側の辺に形成されていることを特徴とする請求項１乃至４のいずれか１項に記載の納豆容器。
【請求項６】
開口にフランジ部を有するとともに納豆を収納するための断面凹形状の収納部を有する容器本体と、前記開口を塞ぐための蓋体と、前記フランジ部の一辺に対して前記蓋体を連結するヒンジ部とを有する発泡樹脂製の一体成形品からなる納豆容器に納豆を収納する収納工程と、
前記収納工程の後、前記蓋体を閉じて前記容器本体の前記開口を塞ぐようにする蓋閉じ工程と、
前記蓋閉じ工程の後、容器外面側にて連続的に形成された溝部と、容器内面側にて断続的に形成され内部で前記溝部に連通する複数の貫通孔からなるミシン目とにより構成される分離加工部を、前記ヒンジ部またはヒンジ部近傍位置に１条のみ形成する分離加工部形成工程と
を含むことを特徴とする容器入り納豆の製造方法。
【請求項７】
前記分離加工部形成工程では、前記溝部の深さが０．１ｍｍ以上、前記溝部を形成せずに残す部分の厚さが０．４ｍｍ以上となるように前記分離加工部を形成することを特徴とする請求項６に記載の容器入り納豆の製造方法。
【請求項８】
前記分離加工部形成工程では、前記ミシン目における前記複数の貫通孔の間隔が、１ｍｍ以上１０ｍｍ以下となるように前記分離加工部を形成することを特徴とする請求項６または７に記載の容器入り納豆の製造方法。
【請求項９】
前記分離加工部形成工程では、前記納豆容器の形成材料である発泡樹脂材料を熱変性させずに機械加工することで前記分離加工部を形成することを特徴とする請求項６乃至８のいずれか１項に記載の容器入り納豆の製造方法。
【請求項１０】
前記分離加工部形成工程では、外周部の全周にわたって連設された複数の歯を有しかつ前記歯の縁部全体が刃になっている回転刃を用いて切削加工することで、前記溝部及び前記ミシン目を同時形成することを特徴とする請求項９に記載の容器入り納豆の製造方法。
【請求項１１】
前記蓋体は４辺を有する平面視矩形状であって、
前記蓋閉じ工程の後かつ前記分離加工部形成工程の前に、前記蓋体におけるヒンジ部配置側の辺以外の３辺のうち少なくとも２辺の一部が、前記容器本体の前記フランジ部に対して溶着する溶着工程を行う
ことを特徴とする請求項６乃至１０のいずれか１項に記載の容器入り納豆の製造方法。
【請求項１２】
前記分離加工部は、前記蓋体におけるヒンジ部配置側の辺に形成されていることを特徴とする請求項６乃至１１のいずれか１項に記載の容器入り納豆の製造方法。
【請求項１３】
請求項１乃至５のいずれか１項に記載の納豆容器を製造するための装置であって、外周部の全周にわたって連設された複数の歯を有しかつ前記歯の縁部全体が刃になっている回転刃を備えたことを特徴とする納豆容器製造装置。
【手続補正３】
【補正対象書類名】明細書
【補正対象項目名】０００１
【補正方法】変更
【補正の内容】
【０００１】
本発明は、容器本体と蓋体とヒンジ部とを有する納豆容器、容器入り納豆の製造方法、納豆容器製造装置に関するものである。
【手続補正４】
【補正対象書類名】明細書
【補正対象項目名】０００６
【補正方法】変更
【補正の内容】
【０００６】
本発明は上記の課題に鑑みてなされたものであり、その目的は、蓋開け時に容器本体から蓋体を比較的容易に分離できるため利便性に優れる一方で、容器製造過程で分離加工部が不用意に切れないため歩留まりが高い納豆容器を提供することにある。本発明の別の目的は、利便性に優れた上記の納豆容器を高歩留まりで製造しつつ納豆を効率よく製造することができる容器入り納豆の製造方法を提供することにある。本発明のさらに別の目的は、上記の優れた納豆容器を製造するのに好適な納豆容器製造装置を提供することにある。
【手続補正５】
【補正対象書類名】明細書
【補正対象項目名】０００７
【補正方法】変更
【補正の内容】
【０００７】
そこで、上記課題を解決すべく本願発明者が鋭意研究を行ったところ、容器本体と蓋体とを分離するための分離加工部に注目し、その改良を試みた。そして試行錯誤の末、単なるミシン目からなる分離加工部を形成するのではなく、溝部とミシン目とにより構成された分離加工部を形成することで好結果が得られることを新規に知見し、さらにこの知見を発展させて下記の課題解決手段［１］〜［１３］を想到するに至ったのである。ここにそれらを列挙する。
【手続補正６】
【補正対象書類名】明細書
【補正対象項目名】０００８
【補正方法】変更
【補正の内容】
【０００８】
［１］開口にフランジ部を有するとともに納豆を収納するための断面凹形状の収納部を有する容器本体と、前記開口を塞ぐための蓋体と、前記フランジ部の一辺に対して前記蓋体を連結するヒンジ部とを有する発泡樹脂製の一体成形品からなり、前記容器本体と前記蓋体とを分離するための分離加工部が形成されている納豆容器において、前記分離加工部は、前記ヒンジ部またはヒンジ部近傍位置に１条のみ形成されるとともに、容器外面側にて連続的に形成された溝部と、容器内面側にて断続的に形成され内部で前記溝部に連通する複数の貫通孔からなるミシン目とにより構成されていることを特徴とする納豆容器。
【手続補正７】
【補正対象書類名】明細書
【補正対象項目名】０００９
【補正方法】変更
【補正の内容】
【０００９】
［２］前記溝部の深さが０．１ｍｍ以上であり、前記溝部を形成せずに残す部分の厚さが０．４ｍｍ以上であることを特徴とする手段１に記載の納豆容器。
【手続補正８】
【補正対象書類名】明細書
【補正対象項目名】００１０
【補正方法】変更
【補正の内容】
【００１０】
［３］前記ミシン目における前記複数の貫通孔の間隔が、１ｍｍ以上１０ｍｍ以下であることを特徴とする手段１または２に記載の納豆容器。
【手続補正９】
【補正対象書類名】明細書
【補正対象項目名】００１１
【補正方法】変更
【補正の内容】
【００１１】
［４］前記蓋体は４辺を有する平面視矩形状であって、前記蓋体におけるヒンジ部配置側の辺以外の３辺のうち少なくとも２辺の一部が、前記容器本体の前記フランジ部に対して溶着されていることを特徴とする手段１乃至３のいずれか１項に記載の納豆容器。
【手続補正１０】
【補正対象書類名】明細書
【補正対象項目名】００１２
【補正方法】変更
【補正の内容】
【００１２】
［５］前記分離加工部は、前記蓋体におけるヒンジ部配置側の辺に形成されていることを特徴とする手段１乃至４のいずれか１項に記載の納豆容器。
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】変更
【補正の内容】
【００１４】
［６］開口にフランジ部を有するとともに納豆を収納するための断面凹形状の収納部を有する容器本体と、前記開口を塞ぐための蓋体と、前記フランジ部の一辺に対して前記蓋体を連結するヒンジ部とを有する発泡樹脂製の一体成形品からなる納豆容器に納豆を収納する収納工程と、前記収納工程の後、前記蓋体を閉じて前記容器本体の前記開口を塞ぐようにする蓋閉じ工程と、前記蓋閉じ工程の後、容器外面側にて連続的に形成された溝部と、容器内面側にて断続的に形成され内部で前記溝部に連通する複数の貫通孔からなるミシン目とにより構成される分離加工部を、前記ヒンジ部またはヒンジ部近傍位置に１条のみ形成する分離加工部形成工程とを含むことを特徴とする容器入り納豆の製造方法。
【手続補正１３】
【補正対象書類名】明細書
【補正対象項目名】００１５
【補正方法】変更
【補正の内容】
【００１５】
［７］前記分離加工部形成工程では、前記溝部の深さが０．１ｍｍ以上、前記溝部を形成せずに残す部分の厚さが０．４ｍｍ以上となるように前記分離加工部を形成することを特徴とする手段６に記載の容器入り納豆の製造方法。
【手続補正１４】
【補正対象書類名】明細書
【補正対象項目名】００１６
【補正方法】変更
【補正の内容】
【００１６】
［８］前記分離加工部形成工程では、前記ミシン目における前記複数の貫通孔の間隔が、１ｍｍ以上１０ｍｍ以下となるように前記分離加工部を形成することを特徴とする手段６または７に記載の容器入り納豆の製造方法。
【手続補正１５】
【補正対象書類名】明細書
【補正対象項目名】００１７
【補正方法】変更
【補正の内容】
【００１７】
［９］前記分離加工部形成工程では、前記食品容器の形成材料である発泡樹脂材料を熱変性させずに機械加工することで前記分離加工部を形成することを特徴とする手段６乃至８のいずれか１項に記載の容器入り納豆の製造方法。
【手続補正１６】
【補正対象書類名】明細書
【補正対象項目名】００１８
【補正方法】変更
【補正の内容】
【００１８】
［１０］前記分離加工部形成工程では、外周部の全周にわたって連設された複数の歯を有しかつ前記歯の縁部全体が刃になっている回転刃を用いて切削加工することで、前記溝部及び前記ミシン目を同時形成することを特徴とする手段９に記載の容器入り納豆の製造方法。
【手続補正１７】
【補正対象書類名】明細書
【補正対象項目名】００１９
【補正方法】変更
【補正の内容】
【００１９】
［１１］前記蓋体は４辺を有する平面視矩形状であって、前記蓋閉じ工程の後かつ前記分離加工部形成工程の前に、前記蓋体におけるヒンジ部配置側の辺以外の３辺のうち少なくとも２辺の一部が、前記容器本体の前記フランジ部に対して溶着する溶着工程を行うことを特徴とする手段６乃至１０のいずれか１項に記載の容器入り納豆の製造方法。
【手続補正１８】
【補正対象書類名】明細書
【補正対象項目名】００２０
【補正方法】変更
【補正の内容】
【００２０】
［１２］前記分離加工部を、前記蓋体におけるヒンジ部配置側の辺に形成することを特徴とする手段６乃至１１のいずれか１項に記載の納豆容器。
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】変更
【補正の内容】
【００２２】
［１３］手段１乃至５のいずれか１項に記載の納豆容器を製造するための装置であって、外周部の全周にわたって連設された複数の歯を有しかつ前記歯の縁部全体が刃になっている回転刃を備えたことを特徴とする納豆容器製造装置。
【手続補正２１】
【補正対象書類名】明細書
【補正対象項目名】００２３
【補正方法】変更
【補正の内容】
【００２３】
従って、請求項１〜５に記載の発明によれば、蓋開け時に容器本体から蓋体を比較的容易に分離できるため利便性に優れる一方で、容器製造過程で分離加工部が不用意に切れないため歩留まりが高い納豆容器を提供することができる。請求項６〜１２に記載の発明によれば、利便性に優れた上記の納豆容器を高歩留まりで製造しつつ納豆を効率よく製造することができる容器入り納豆の製造方法を提供することができる。請求項１３に記載の発明によれば、上記の優れた納豆容器を製造するのに好適な納豆容器製造装置を提供することができる。
【手続補正２２】
【補正対象書類名】明細書
【補正対象項目名】００６２
【補正方法】削除
【補正の内容】
【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
開口にフランジ部を有するとともに納豆を収納するための断面凹形状の収納部を有する容器本体と、前記開口を塞ぐための蓋体と、前記フランジ部の一辺に対して前記蓋体を連結するヒンジ部とを有する発泡樹脂製の一体成形品からなり、前記容器本体と前記蓋体とを分離するための分離加工部が形成されている納豆容器において、
前記分離加工部は、前記ヒンジ部またはヒンジ部近傍位置に１条のみ形成されるとともに、容器外面側にて連続的に形成された溝部と、容器内面側にて断続的に形成され内部で前記溝部に連通する複数の貫通孔からなるミシン目とにより構成され、
前記溝部の深さが０．１ｍｍ以上であり、
前記溝部を形成せずに残す部分の厚さが０．４ｍｍ以上であり、
前記ミシン目における前記複数の貫通孔の間隔が１ｍｍ以上５ｍｍ以下であり、
前記蓋体の中心部から偏心した位置に開けた穴に引張強度測定器のフック部を引っ掛け、この状態で前記容器本体と前記測定器とを互いに離間する方向に引っ張り、前記蓋体が完全に切り取られて分離するまでに要した力を測定したときに、その測定ピーク値の平均値が０．１０ｋｇ以上０．３９９ｋｇ以下である
ことを特徴とする納豆容器。
【請求項２】
前記蓋体は４辺を有する平面視矩形状であって、前記蓋体におけるヒンジ部配置側の辺以外の３辺のうち少なくとも２辺の一部が、前記容器本体の前記フランジ部に対して溶着されていることを特徴とする請求項１に記載の納豆容器。
【請求項３】
前記分離加工部は、前記蓋体におけるヒンジ部配置側の辺に形成されていることを特徴とする請求項１または２に記載の納豆容器。
【請求項４】
開口にフランジ部を有するとともに納豆を収納するための断面凹形状の収納部を有する容器本体と、前記開口を塞ぐための蓋体と、前記フランジ部の一辺に対して前記蓋体を連結するヒンジ部とを有する発泡樹脂製の一体成形品からなる納豆容器に納豆を収納する収納工程と、
前記収納工程の後、前記蓋体を閉じて前記容器本体の前記開口を塞ぐようにする蓋閉じ工程と、
前記蓋閉じ工程の後、容器外面側にて連続的に形成された溝部と、容器内面側にて断続的に形成され内部で前記溝部に連通する複数の貫通孔からなるミシン目とにより構成される分離加工部を、前記ヒンジ部またはヒンジ部近傍位置に１条のみ形成する分離加工部形成工程と
を含み、
前記分離加工部形成工程では、
前記溝部の深さが０．１ｍｍ以上となり、
前記溝部を形成せずに残す部分の厚さが０．４ｍｍ以上となり、
前記ミシン目における前記複数の貫通孔の間隔が１ｍｍ以上５ｍｍ以下となるように前記分離加工部を形成することで、
前記蓋体の中心部から偏心した位置に開けた穴に引張強度測定器のフック部を引っ掛け、この状態で前記容器本体と前記測定器とを互いに離間する方向に引っ張り、前記蓋体が完全に切り取られて分離するまでに要した力を測定したときに、その測定ピーク値の平均値が０．１０ｋｇ以上０．３９９ｋｇ以下となるようにする
ことを特徴とする容器入り納豆の製造方法。
【請求項５】
前記分離加工部形成工程では、前記納豆容器の形成材料である発泡樹脂材料を熱変性させずに機械加工することで前記分離加工部を形成することを特徴とする請求項４に記載の容器入り納豆の製造方法。
【請求項６】
前記分離加工部形成工程では、外周部の全周にわたって連設された複数の歯を有しかつ前記歯の縁部全体が刃になっている回転刃を用いて切削加工することで、前記溝部及び前記ミシン目を同時形成することを特徴とする請求項５に記載の容器入り納豆の製造方法。
【請求項７】
前記蓋体は４辺を有する平面視矩形状であって、
前記蓋閉じ工程の後かつ前記分離加工部形成工程の前に、前記蓋体におけるヒンジ部配置側の辺以外の３辺のうち少なくとも２辺の一部が、前記容器本体の前記フランジ部に対して溶着する溶着工程を行う
ことを特徴とする請求項４乃至６のいずれか１項に記載の容器入り納豆の製造方法。
【請求項８】
前記分離加工部は、前記蓋体におけるヒンジ部配置側の辺に形成されていることを特徴とする請求項４乃至７のいずれか１項に記載の容器入り納豆の製造方法。
【手続補正３】
【補正対象書類名】明細書
【補正対象項目名】０００１
【補正方法】変更
【補正の内容】
【０００１】
本発明は、容器本体と蓋体とヒンジ部とを有する納豆容器、容器入り納豆の製造方法に関するものである。
【手続補正４】
【補正対象書類名】明細書
【補正対象項目名】０００６
【補正方法】変更
【補正の内容】
【０００６】
本発明は上記の課題に鑑みてなされたものであり、その目的は、蓋開け時に容器本体から蓋体を比較的容易に分離できるため利便性に優れる一方で、容器製造過程で分離加工部が不用意に切れないため歩留まりが高い納豆容器を提供することにある。本発明の別の目的は、利便性に優れた上記の納豆容器を高歩留まりで製造しつつ納豆を効率よく製造することができる容器入り納豆の製造方法を提供することにある。
【手続補正５】
【補正対象書類名】明細書
【補正対象項目名】０００７
【補正方法】変更
【補正の内容】
【０００７】
そこで、上記課題を解決すべく本願発明者が鋭意研究を行ったところ、容器本体と蓋体とを分離するための分離加工部に注目し、その改良を試みた。そして試行錯誤の末、単なるミシン目からなる分離加工部を形成するのではなく、溝部とミシン目とにより構成された分離加工部を形成することで好結果が得られることを新規に知見し、さらにこの知見を発展させて下記の課題解決手段［１］〜［８］を想到するに至ったのである。ここにそれらを列挙する。
【手続補正６】
【補正対象書類名】明細書
【補正対象項目名】０００８
【補正方法】変更
【補正の内容】
【０００８】
［１］開口にフランジ部を有するとともに納豆を収納するための断面凹形状の収納部を有する容器本体と、前記開口を塞ぐための蓋体と、前記フランジ部の一辺に対して前記蓋体を連結するヒンジ部とを有する発泡樹脂製の一体成形品からなり、前記容器本体と前記蓋体とを分離するための分離加工部が形成されている納豆容器において、前記分離加工部は、前記ヒンジ部またはヒンジ部近傍位置に１条のみ形成されるとともに、容器外面側にて連続的に形成された溝部と、容器内面側にて断続的に形成され内部で前記溝部に連通する複数の貫通孔からなるミシン目とにより構成され、前記溝部の深さが０．１ｍｍ以上であり、前記溝部を形成せずに残す部分の厚さが０．４ｍｍ以上であり、前記ミシン目における前記複数の貫通孔の間隔が１ｍｍ以上５ｍｍ以下であり、前記蓋体の中心部から偏心した位置に開けた穴に引張強度測定器のフック部を引っ掛け、この状態で前記容器本体と前記測定器とを互いに離間する方向に引っ張り、前記蓋体が完全に切り取られて分離するまでに要した力を測定したときに、その測定ピーク値の平均値が０．１０ｋｇ以上０．３９９ｋｇ以下であることを特徴とする納豆容器。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
［２］前記蓋体は４辺を有する平面視矩形状であって、前記蓋体におけるヒンジ部配置側の辺以外の３辺のうち少なくとも２辺の一部が、前記容器本体の前記フランジ部に対して溶着されていることを特徴とする手段１に記載の納豆容器。
【手続補正１０】
【補正対象書類名】明細書
【補正対象項目名】００１２
【補正方法】変更
【補正の内容】
【００１２】
［３］前記分離加工部は、前記蓋体におけるヒンジ部配置側の辺に形成されていることを特徴とする手段１または２に記載の納豆容器。
【手続補正１１】
【補正対象書類名】明細書
【補正対象項目名】００１４
【補正方法】変更
【補正の内容】
【００１４】
［４］開口にフランジ部を有するとともに納豆を収納するための断面凹形状の収納部を有する容器本体と、前記開口を塞ぐための蓋体と、前記フランジ部の一辺に対して前記蓋体を連結するヒンジ部とを有する発泡樹脂製の一体成形品からなる納豆容器に納豆を収納する収納工程と、前記収納工程の後、前記蓋体を閉じて前記容器本体の前記開口を塞ぐようにする蓋閉じ工程と、前記蓋閉じ工程の後、容器外面側にて連続的に形成された溝部と、容器内面側にて断続的に形成され内部で前記溝部に連通する複数の貫通孔からなるミシン目とにより構成される分離加工部を、前記ヒンジ部またはヒンジ部近傍位置に１条のみ形成する分離加工部形成工程とを含み、前記分離加工部形成工程では、前記溝部の深さが０．１ｍｍ以上となり、前記溝部を形成せずに残す部分の厚さが０．４ｍｍ以上となり、前記ミシン目における前記複数の貫通孔の間隔が１ｍｍ以上５ｍｍ以下となるように前記分離加工部を形成することで、前記蓋体の中心部から偏心した位置に開けた穴に引張強度測定器のフック部を引っ掛け、この状態で前記容器本体と前記測定器とを互いに離間する方向に引っ張り、前記蓋体が完全に切り取られて分離するまでに要した力を測定したときに、その測定ピーク値の平均値が０．１０ｋｇ以上０．３９９ｋｇ以下となるようにすることを特徴とする容器入り納豆の製造方法。
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】変更
【補正の内容】
【００１７】
［５］前記分離加工部形成工程では、前記食品容器の形成材料である発泡樹脂材料を熱変性させずに機械加工することで前記分離加工部を形成することを特徴とする手段４に記載の容器入り納豆の製造方法。
【手続補正１５】
【補正対象書類名】明細書
【補正対象項目名】００１８
【補正方法】変更
【補正の内容】
【００１８】
［６］前記分離加工部形成工程では、外周部の全周にわたって連設された複数の歯を有しかつ前記歯の縁部全体が刃になっている回転刃を用いて切削加工することで、前記溝部及び前記ミシン目を同時形成することを特徴とする手段５に記載の容器入り納豆の製造方法。
【手続補正１６】
【補正対象書類名】明細書
【補正対象項目名】００１９
【補正方法】変更
【補正の内容】
【００１９】
［７］前記蓋体は４辺を有する平面視矩形状であって、前記蓋閉じ工程の後かつ前記分離加工部形成工程の前に、前記蓋体におけるヒンジ部配置側の辺以外の３辺のうち少なくとも２辺の一部が、前記容器本体の前記フランジ部に対して溶着する溶着工程を行うことを特徴とする手段４乃至６のいずれか１項に記載の容器入り納豆の製造方法。
【手続補正１７】
【補正対象書類名】明細書
【補正対象項目名】００２０
【補正方法】変更
【補正の内容】
【００２０】
［８］前記分離加工部を、前記蓋体におけるヒンジ部配置側の辺に形成することを特徴とする手段４乃至７のいずれか１項に記載の容器入り納豆の製造方法。
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】変更
【補正の内容】
【００２３】
従って、請求項１〜３に記載の発明によれば、蓋開け時に容器本体から蓋体を比較的容易に分離できるため利便性に優れる一方で、容器製造過程で分離加工部が不用意に切れないため歩留まりが高い納豆容器を提供することができる。請求項４〜８に記載の発明によれば、利便性に優れた上記の納豆容器を高歩留まりで製造しつつ納豆を効率よく製造することができる容器入り納豆の製造方法を提供することができる。
【手続補正書】
【提出日】平成22年2月23日(2010.2.23)
【手続補正１】
【補正対象書類名】特許請求の範囲
【補正対象項目名】請求項１
【補正方法】変更
【補正の内容】
【請求項１】
開口にフランジ部を有するとともに納豆を収納するための断面凹形状の収納部を有する容器本体と、前記開口を塞ぐための蓋体と、前記フランジ部の一辺に対して前記蓋体を連結するヒンジ部とを有する発泡樹脂製の一体成形品からなり、前記容器本体と前記蓋体とを分離するための分離加工部が形成されている納豆容器において、
前記分離加工部は、前記ヒンジ部またはヒンジ部近傍位置に１条のみ形成されるとともに、容器外面側にて連続的に形成された溝部と、容器内面側にて断続的に形成され内部で前記溝部に連通する複数の貫通孔からなるミシン目とにより構成され、
前記溝部の深さが０．１ｍｍ以上１．５ｍｍ以下であり、
前記溝部を形成せずに残す部分の厚さが０．４ｍｍ以上１．８ｍｍ以下であり、
前記ミシン目における前記複数の貫通孔の間隔が１ｍｍ以上５ｍｍ以下であり、
前記蓋体の中心部から偏心した位置に開けた穴に引張強度測定器のフック部を引っ掛け、この状態で前記容器本体と前記測定器とを互いに離間する方向に引っ張り、前記蓋体が完全に切り取られて分離するまでに要した力を測定したときに、その測定ピーク値の平均値が０．１０ｋｇ以上０．３９９ｋｇ以下である
ことを特徴とする納豆容器。
【手続補正２】
【補正対象書類名】特許請求の範囲
【補正対象項目名】請求項４
【補正方法】変更
【補正の内容】
【請求項４】
開口にフランジ部を有するとともに納豆を収納するための断面凹形状の収納部を有する容器本体と、前記開口を塞ぐための蓋体と、前記フランジ部の一辺に対して前記蓋体を連結するヒンジ部とを有する発泡樹脂製の一体成形品からなる納豆容器に納豆を収納する収納工程と、
前記収納工程の後、前記蓋体を閉じて前記容器本体の前記開口を塞ぐようにする蓋閉じ工程と、
前記蓋閉じ工程の後、容器外面側にて連続的に形成された溝部と、容器内面側にて断続的に形成され内部で前記溝部に連通する複数の貫通孔からなるミシン目とにより構成される分離加工部を、前記ヒンジ部またはヒンジ部近傍位置に１条のみ形成する分離加工部形成工程と
を含み、
前記分離加工部形成工程では、
前記溝部の深さが０．１ｍｍ以上１．５ｍｍ以下となり、
前記溝部を形成せずに残す部分の厚さが０．４ｍｍ以上１．８ｍｍ以下となり、
前記ミシン目における前記複数の貫通孔の間隔が１ｍｍ以上５ｍｍ以下となるように前記分離加工部を形成することで、
前記蓋体の中心部から偏心した位置に開けた穴に引張強度測定器のフック部を引っ掛け、この状態で前記容器本体と前記測定器とを互いに離間する方向に引っ張り、前記蓋体が完全に切り取られて分離するまでに要した力を測定したときに、その測定ピーク値の平均値が０．１０ｋｇ以上０．３９９ｋｇ以下となるようにする
ことを特徴とする容器入り納豆の製造方法。
【手続補正３】
【補正対象書類名】明細書
【補正対象項目名】０００８
【補正方法】変更
【補正の内容】
【０００８】
［１］開口にフランジ部を有するとともに納豆を収納するための断面凹形状の収納部を有する容器本体と、前記開口を塞ぐための蓋体と、前記フランジ部の一辺に対して前記蓋体を連結するヒンジ部とを有する発泡樹脂製の一体成形品からなり、前記容器本体と前記蓋体とを分離するための分離加工部が形成されている納豆容器において、前記分離加工部は、前記ヒンジ部またはヒンジ部近傍位置に１条のみ形成されるとともに、容器外面側にて連続的に形成された溝部と、容器内面側にて断続的に形成され内部で前記溝部に連通する複数の貫通孔からなるミシン目とにより構成され、前記溝部の深さが０．１ｍｍ以上１．５ｍｍ以下であり、前記溝部を形成せずに残す部分の厚さが０．４ｍｍ以上１．８ｍｍ以下であり、前記ミシン目における前記複数の貫通孔の間隔が１ｍｍ以上５ｍｍ以下であり、前記蓋体の中心部から偏心した位置に開けた穴に引張強度測定器のフック部を引っ掛け、この状態で前記容器本体と前記測定器とを互いに離間する方向に引っ張り、前記蓋体が完全に切り取られて分離するまでに要した力を測定したときに、その測定ピーク値の平均値が０．１０ｋｇ以上０．３９９ｋｇ以下であることを特徴とする納豆容器。
【手続補正４】
【補正対象書類名】明細書
【補正対象項目名】００１４
【補正方法】変更
【補正の内容】
【００１４】
［４］開口にフランジ部を有するとともに納豆を収納するための断面凹形状の収納部を有する容器本体と、前記開口を塞ぐための蓋体と、前記フランジ部の一辺に対して前記蓋体を連結するヒンジ部とを有する発泡樹脂製の一体成形品からなる納豆容器に納豆を収納する収納工程と、前記収納工程の後、前記蓋体を閉じて前記容器本体の前記開口を塞ぐようにする蓋閉じ工程と、前記蓋閉じ工程の後、容器外面側にて連続的に形成された溝部と、容器内面側にて断続的に形成され内部で前記溝部に連通する複数の貫通孔からなるミシン目とにより構成される分離加工部を、前記ヒンジ部またはヒンジ部近傍位置に１条のみ形成する分離加工部形成工程とを含み、前記分離加工部形成工程では、前記溝部の深さが０．１ｍｍ以上１．５ｍｍ以下となり、前記溝部を形成せずに残す部分の厚さが０．４ｍｍ以上１．８ｍｍ以下となり、前記ミシン目における前記複数の貫通孔の間隔が１ｍｍ以上５ｍｍ以下となるように前記分離加工部を形成することで、前記蓋体の中心部から偏心した位置に開けた穴に引張強度測定器のフック部を引っ掛け、この状態で前記容器本体と前記測定器とを互いに離間する方向に引っ張り、前記蓋体が完全に切り取られて分離するまでに要した力を測定したときに、その測定ピーク値の平均値が０．１０ｋｇ以上０．３９９ｋｇ以下となるようにすることを特徴とする容器入り納豆の製造方法。